(57)【要約】      （修正有）【課題】伸縮プル棒を持圧本体と下蓋内に収納でき、体積を縮小し、組立てを簡単にする弾性ケーブル式腹筋トレーニング器具の構造を提供する。【解決手段】持圧本体２は底板２２に管嵌口２２１を開設し、中段には伸縮プル棒３を通す内嵌管２３を設置し、底板２２両側上方には弾性ワイヤー２４を横方向に固定して設置し、内嵌管２３両側と弾性ワイヤー２４上方間にはスライド軸２５をそれぞれ設置し、伸縮プル棒３外壁の前端に近い位置にはネジ３１２により螺合するフック管体３１を設置する。さらに、下蓋４は持圧本体２に対応して係合し、弾性ワイヤー２４中央に相対して欠口４２を開設し、弾性ワイヤー２４中央をフック板３１１中に入れ、伸縮プル棒３は両側のスライド軸２５を通して、しかも弾性ワイヤー２４の復位力作用を受けると、反復引き伸ばし運動を行う。また、弾性ワイヤー２４をフック板３１１外に外すと、伸縮プル棒３は内へと縮み、伸縮プル棒３は一切の作用力を受けない状態となって定位され、収納と組立てが簡単にできる。【選択図】図３
0003175172.tif 000002
【実用新案登録請求の範囲】
【請求項１】
弾性ケーブル式腹筋トレーニング器具の構造は、持圧本体、伸縮プル棒、下蓋を備え、
前記持圧本体と前記下蓋とは、左、右対称を呈し、しかも係合する殼体で、その両側には、上下ハンドル部をそれぞれ設置し、しかも前記伸縮プル棒後端と前記クッションとは結合し、
前記持圧本体は、底板中央に、管嵌口を開設し、中段には、およそ縦方向に、管嵌口位置まで延伸する内嵌管を設置し、前記底板両側上方には弾性ワイヤーを横方向に固定して設置し、しかも前記内嵌管両側と前記弾性ワイヤー上方の適当な位置には、スライド軸をそれぞれ設置し、
前記伸縮プル棒は、中空円柱体で、前記内嵌管外部にスライド状に対応し、しかも外壁の前端に近い位置には、フック板のフック管体を嵌めて設置し、ネジにより螺合して定位し、
前記下蓋は、前記弾性ワイヤー中央位置に対応し、欠口を開設し、
よって、前記弾性ワイヤー中央が前記フック板中に入り、前記伸縮プル棒は、前記両側スライド軸を通して、しかも前記弾性ワイヤーの復位力作用を受け、反復引き伸ばし運動を行うことができ、
前記弾性ワイヤーを、前記フック板外へと外し、前記伸縮プル棒を内側へと縮めると、前記伸縮プル棒一切の作用力を受けない状態となり、定位され、
こうして、収納が簡単で、組立てを便利に素早く行うことができる構造を構成することを特徴とする弾性ケーブル式腹筋トレーニング器具の構造。
【請求項２】
前記スライド軸は、ローラーであることを特徴とする請求項１に記載の弾性ケーブル式腹筋トレーニング器具の構造。
【考案の詳細な説明】
【技術分野】
【０００１】
本考案は弾性ケーブル式腹筋トレーニング器具の構造に関し、特に両手運動と腹筋トレーニング及びマッサージ用途に用い、手動で押す運動を提供する弾性ケーブル式腹筋トレーニング器具の構造に関する。
【背景技術】
【０００２】
腹筋トレーニング器具は、一般の腹部マッサージ、シェイキングに用いる電動装置、或いはプッシュホイール式等の手動マッサージ器等とは異なる。
腹筋トレーニング器具は、使用者の腹部前方に横方向にセットする腹筋トレーニング器具に、手で内側へとプッシュする運動を組合せる。
これと同時に、腹部が圧力を受け、それを押し戻すと、力を使う上半身運動効果を達成することができる。
【０００３】
特許文献１に開示する「腹筋トレーニング、ウェストシェイプ、ウェストマッサージの機能を兼ね備える多用途装置」は図１、２に示す。
上記した装置は、本体5、ガイド棒6を備える。
本体5両側には、ハンドル部51をそれぞれ設置し、中段位置には、スリーブ52を固定して設置する。
スリーブ52外壁の後端に近い位置には、第一フック体521を設置し、しかもガイド棒6を設置する。
ガイド棒6は、対応して、該スリーブ52内部においてスライドする。
ガイド棒6の外壁の前端に近い位置には、第二フック体61を設置し、高張力ベルト62を、第一フック体521と第二フック体61との間に掛けて設置する。
こうして、ガイド棒6後端は、クッション7に結合する。
【０００４】
上記した構造は、包装時には、本体5、ガイド棒6、高張力ベルト62を分解して重ねた後でなければ、コストを抑えたコンパクト包装を達成することができない。
しかも收納時には、本体5とガイド棒6を分解するため、ガイド棒6は外部に露出する。
これにより、外力による衝突を受け、或いは重圧により変形し易くなるため、スライドがスムーズにいかなくなり、使用不能になる恐れさえある。
本考案は、従来の腹筋トレーニング器具の構造の上記した欠点に鑑みてなされたものである。
【先行技術文献】
【特許文献】
【０００５】
【特許文献１】中華民国特許公告第475437(TW)号
【考案の概要】
【考案が解決しようとする課題】
【０００６】
本考案が解決しようとする課題は、伸縮プル棒を持圧本体と下蓋内に収納でき、体積を縮小し、組立てを簡単にする弾性ケーブル式腹筋トレーニング器具の構造を提供することである。
【課題を解決するための手段】
【０００７】
上記課題を解決するため、本考案は下記の弾性ケーブル式腹筋トレーニング器具の構造を提供する。
弾性ケーブル式腹筋トレーニング器具の構造は、左、右対称を呈する殼体である持圧本体両側に、上ハンドル部を設置し、底板中央には、伸縮プル棒をちょうど嵌めて設置することができる管嵌口を設置し、中段には、該伸縮プル棒をスライド状に通すことができる内嵌管を延伸し、
該底板両側上方には、弾性ワイヤーを横方向に固定して設置し、該内嵌管両側と該弾性ワイヤー上方間には、それをスライド状に嵌めるスライド軸を設置し、
該伸縮プル棒は、中空円柱体を呈し、しかも外壁の前端に近い位置には、フック板を設置するフック管体を嵌めて設置し、ネジにより螺合して定位し、後端は、クッションと結合し、
該持圧本体下方は、ちょうど対応する下蓋と係合し、両側には、下ハンドル部を設置し、該底部中央には、使用者が、該弾性ワイヤーをフック板に嵌め、或いは外すことができる欠口を開設し、
運動時には、該弾性ワイヤーの中央を該フック板中に入れ、該クッションを使用者腹部上に押し当て、両手を上下ハンドル部に入れて、内向きに力を加えると、該伸縮プル棒は、前向きに内へと縮み、
該フック板は、両側のスライド軸を通して、該弾性ワイヤーを上方へと押し、両手を緩めると、該弾性ワイヤーの復位力を受け、反対に戻り、該フック板を下方へと押して戻し、該伸縮プル棒は外に伸びた状態位置まで退出して、反復運動を行い、
包装或いは收納時には、該弾性ワイヤーをフック板外へと外し、該伸縮プル棒を内側へと縮め、しかも該弾性ワイヤーは該伸縮プル棒に対して一切の作用力を生じないため、収納して定位でき、
こうして簡単な收納と、便利で素早い組立てを達成することができる。
【考案の効果】
【０００８】
本考案の弾性ケーブル式腹筋トレーニング器具の構造は、伸縮プル棒を持圧本体と下蓋内に収納でき、体積を縮小し、組立てを簡単にすることができる。
【図面の簡単な説明】
【０００９】
【図１】従来の腹筋トレーニング器具の構造組合せ図である。
【図２】従来の腹筋トレーニング器具の圧縮動作模式図である。
【図３】本考案の立体分解図である。
【図４】本考案の立体組合せ図である。
【図５】本考案持圧本体と伸縮プル棒の組合せ立体図である。
【図６】本考案弾性ワイヤーがフック板に入る様子を示す模式図である。
【図７】本考案圧縮時の模式図である。
【図８】本考案弾性ワイヤーの弾性作動を示す模式図である。
【図９】本考案伸縮プル棒を持圧本体内に収納する様子を示す模式図である。
【考案を実施するための形態】
【００１０】
以下に図面を参照しながら本考案を実施するための最良の形態について詳細に説明する。
【実施例】
【００１１】
図３〜６に示すように、本考案は、持圧本体2、伸縮プル棒3、下蓋4を備える。
【００１２】
持圧本体2は、左、右対称を呈する上殼体で、その両側には、上ハンドル部21をそれぞれ設置し、使用者はこれを握ることができる。
しかも、底板22中央には、管嵌口221を開設し、これに伸縮プル棒3を通して嵌め、固定することができる。
底板22中段には、縦方向に管嵌口22位置まで延伸する内嵌管23を設置し、これにより伸縮プル棒3は可動状に嵌められ、スライドすることができる。
底板22の両側上方には、弾性ワイヤー24を横方向に固定して設置する。
内嵌管23両側と弾性ワイヤー24上方の適当な位置には、スライド軸25或いはローラーをそれぞれ設置し、これにより弾性ワイヤー24は受力方向を変え、伸縮してスライドし、固定することができる。
【００１３】
伸縮プル棒3は、中空円柱体で、持圧本体2の内嵌管23外部にスライド状に対応し、しかも外壁の前端に近い位置には、フック板311のフック管体31を嵌めて設置する。
さらに、ネジ312により螺合して定位し、弾性ワイヤー24中央を押さえて固定し、後端は、クッション32と結合し、こうして腹部に接触させることができる。
【００１４】
下蓋4は、持圧本体2と対応を呈し、しかも下殼体にちょうど係合する。
その両側には、下ハンドル部41をそれぞれ設置し、持圧本体2に相対する弾性ワイヤー24中央位置には、欠口42を開設し、これにより使用者は、フック板311において弾性ワイヤー24を嵌め、或いは外すことができる。
この構造により、収納が簡単で、体積縮小の効果を達成することができる。
【００１５】
図３、５〜９に示すように、伸縮プル棒3を管嵌口22に通した後、フック管体31は、伸縮プル棒3の前端に嵌めて固定し、しかも弾性ワイヤー24は、底板22両側の上方位置に固定される。
下蓋4は、持圧本体2と係合して一体を形成する。
【００１６】
運動時には、伸縮プル棒3を最終端まで伸ばし、欠口42(図３参照)を通して、指で、弾性ワイヤー24の中央を、フック板311中(図５、６参照)に入れる。
次に、クッション32を、使用者腹部に接触させ、両手を、上下ハンドル部21、41中に入れて、力を入れ腹部を押す。
すると、伸縮プル棒3は内側へと縮み、内嵌管23内に向かう。
同時に、フック板311は、両側のスライド軸25を通して、弾性ワイヤー24を上方へと押し、弾性復位力を発生させる(図７参照)ため、両手を離せば、弾性ワイヤー24の復位力を受けて、反対に戻る。
これにより、フック板311を下方へと押して戻し、同時に、伸縮プル棒3は外に伸びた状態位置まで退出する(図５参照)。
こうして反復作動を行う。
【００１７】
包装或いは收納時には、欠口42(図３参照)を通して、指で、弾性ワイヤー24をフック板311外へと外す。
続いて、伸縮プル棒3を前向きに収縮させ、内嵌管23へと入れる(図９)。
この時、弾性ワイヤー24とは作用を発生せず、そのため弾性により移動することもない。
こうして構造をシンプルにし、組立てを便利にする効果を達成することができる。
【００１８】
上記したように、本考案は伸縮プル棒を持圧本体と下蓋内に収納でき、体積を縮小し、組立てを簡単にする実用性を確実に提供することができる。
【００１９】
上記の本考案名称と内容は、本考案技術内容の説明に用いたのみで、本考案を限定するものではない。本考案の精神に基づく等価応用或いはいは部品（構造）の転換、置換、数量の増減はすべて、本考案の保護範囲に含むものとする。
【産業上の利用可能性】
【００２０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２１】
５      本体
５１    ハンドル部
５２    スリーブ
５２１  第一フック体
６      ガイド棒
６１    第二フック体
６２    高張力ベルト
７      クッション
２      持圧本体
２１    上ハンドル部
２２    底板
２２１  管嵌口
２３    内嵌管
２５    スライド軸
３      伸縮プル棒
３１    フック管体
３１１  フック板
３１２  ネジ
３２    クッション
４      下蓋
４１    下ハンドル部
４２    欠口
【図１】
0003175172.tif 000003
【図２】
0003175172.tif 000004
【図３】
0003175172.tif 000005
【図４】
0003175172.tif 000006
【図５】
0003175172.tif 000007
【図６】
0003175172.tif 000008
【図７】
0003175172.tif 000009
【図８】
0003175172.tif 000010
【図９】
0003175172.tif 000011